(57)【特許請求の範囲】
【請求項１】
刈取部の支持フレームの基端部に支持ブラケットを回動自在に取り付け、この支持ブラケットを走行機体側に設けた支持スタンドに着脱自在に取り付けた刈取部の支持構造において、
前記支持ブラケットの下面に凸曲部を形成するとともに、支持ブラケットと支持スタンドとを連結した状態で前記凸曲部を係入する凹部を前記支持スタンドの上端部に形成し、
前記支持ブラケットの下向きに凸曲した凸曲部の周面と、前記支持スタンドの上向きに凹入した凹部の周面との間に、前記凸曲部と前記凹部との係合状態で互いの周面どうしが部分的に接触する部位と接触しない部位とが生じるように部分的な間隙を形成してある刈取部の支持構造。
【請求項２】
前記支持ブラケットを上下対称に形成してある請求項１記載の刈取部の支持構造。
【発明の詳細な説明】
【０００１】
【発明の属する技術分野】
本発明は、刈取部の支持フレームの基端側に取り付けた支持ブラケットを走行機体側に着脱自在に取り付けた刈取部の支持構造に関する。
【０００２】
【従来の技術】
従来より、刈取部の支持構造において、刈取部を走行機体に対して揺動自在、且つ着脱自在に構成するのに、特開平１１−２７５９２０号公報に示されたもののように、刈取部における支持フレームにブラケットを回動自在に取り付け、このブラケットの下面を走行機体に立設した支持フレームの上端面に着脱自在に取り付けたり、特開平７−３９２３３号公報に示されたもののように、走行機体の支持スタンドに固定した半割状の受け部材と、この受け部材に揺動開閉自在に枢支連結した半割状の押え部材とによって支持フレームの基端部を支持し、刈取部を揺動自在、並びに着脱自在に取り付けたものが考えられている。
【０００３】
【発明が解決しようとする課題】
しかし、上記従来の構造では、前者のものであれば、支持フレーム基端部の支持ブラケットを走行機体の支持スタンドに支持させる際に、平面同士の位置合わせなので、ブラケットの下面の位置を支持フレームの上端面に対してボルト孔等の位置合わせをする作業が面倒であり、改良の余地がある。また、後者のものであれば、半割状の受け部材に支持フレームの基端部を係合させて、受け部材に揺動開閉自在に連結した支持フレームをボルト連結するだけなので、支持フレームを取り付ける際のボルト孔の位置合わせは容易になるが、受け部材を支持スタンドに固定したり、押え部材を枢支連結する必要があるなどコストが高くなってしまう場合があった。
【０００４】
本願発明の目的は、走行機体に立設した支持スタンドに刈取部における支持フレームを支持させる際に、支持フレームと支持スタンドとの位置あわせを容易にするとともに、この構造を安価に構成する点にある。
【０００５】
【課題を解決するための手段】
〔構成〕
本発明の請求項１にかかる特徴構成は、刈取部の支持フレームの基端部に支持ブラケットを回動自在に取り付け、この支持ブラケットを走行機体側に設けた支持スタンドに着脱自在に取り付けた刈取部の支持構造において、
前記支持ブラケットの下面に凸曲部を形成するとともに、支持ブラケットと支持スタンドとを連結した状態で前記凸曲部を係入する凹部を前記支持スタンドの上端部に形成し、
前記支持ブラケットの下向きに凸曲した凸曲部の周面と、前記支持スタンドの上向きに凹入した凹部の周面との間に、前記凸曲部と前記凹部との係合状態で互いの周面どうしが部分的に接触する部位と接触しない部位とが生じるように部分的な間隙を形成してある点にある。
【０００６】
〔作用〕
上記構成によれば、支持ブラケットに形成してある凸曲部と支持スタンドに形成した凹部とを係合させることによって、支持ブラケットと支持スタンドとを連結固定するボルト孔も一致させることができる。つまり、刈取部を走行機体に支持させるためには、支持ブラケットに形成したボルト孔と支持スタンド側のボルト孔との位置合わせが必要であるが、このボルト孔同士の一致を凸曲部と凹部との係合によって知ることができ、ボルト孔の位置合わせが容易となり刈取部を組み易くなる。
【０００７】
〔効果〕
従って、請求項１の発明によると、ブラケットの形状を変更するだけなのでコスト的には従来前者のものとほとんど変わりがないものでありながら、刈取部を走行機体に支持させる際のボルト孔の位置合わせが容易となり、組付け易くて低コストな刈取部の支持構造を得ることができる。
【０００８】
〔構成〕
本発明の請求項２にかかる特徴構成は、請求項１に記載のものにおいて、支持ブラケットを上下対称に形成してある点にある。
【０００９】
〔作用・効果〕
上記構成によれば、下面に形成した凸曲部を凹部に係入させた正位置とともに、上部に形成された凸曲部を１８０度回転させて凹部に係入させる逆位置でもボルト連結が可能となるため、刈取部を走行機体に支持させる際に支持ブラケットが回転して裏返った状態となってしまっても、修正せずにそのままボルト孔の位置合わせを続行することができ、請求項１に記載のものより更に組付け易くすることができる。
【００１０】
【発明の実施の形態】
図１は自脱型コンバインの側面を示しており、このコンバインは、左右一対のクローラ走行装置１を備えた走行機体の前部に、横軸芯Ｘ周りに昇降揺動可能に刈取り前処理装置である刈取部２を連結するとともに、走行機体には脱穀装置３を搭載し、走行機体の横一側に搭乗運転部４を配置して構成してある。
【００１１】
刈取部２は、倒伏した植立穀稈を立姿勢に引き起こす左右一対の引起し装置５、引き起こされた穀稈の株元側を切断するバリカン型の刈取装置６、立姿勢の刈取穀稈を横倒れ姿勢に姿勢変更させながら後方に搬送して脱穀装置３に向けて供給搬送する縦搬送装置９、これらを横軸芯Ｘ中心に上下揺動可能に支持する刈取フレーム８（支持フレームに相当）、等を備えて構成してある。
【００１２】
図２，図３に示すように、走行機体における機体フレーム１０の前部に左右一対の支持スタンド１１を立設し、刈取フレーム８の基端部である横フレーム部８ａには左右一対の支持ブラケット１２を回動自在に取り付けてあり、この支持ブラケット１２の夫々を支持スタンド１１の上端面にボルト連結することにより、刈取部２を支持スタンドに軸芯Ｘ周りに昇降揺動自在、並びに着脱可能に支持してある。
【００１３】
支持ブラケット１２は支持スタンド１１に固定する状態において、横フレーム部８ａを支持する筒状の支持部１２ａから機体前後方向に向けて固定部１２ｂを突出形成してあり、固定部１２ｂより下方に位置する支持部１２ａの下端部分を支持スタンド１１の上端部に形成した凹部１１ａと係合する凸曲部１２ｃとしてある。そして、この固定部１２ｂは支持部１２ａの下部寄りに形成して凸曲部１２ｃを係合の行い易い程度の突出状態に設定してある。また、支持ブラケット１２と支持スタンド１１との係合状態において、凸曲部１２ｃと凹部１１ａとの間に間隙１３を形成してあり、この隙間によって係合状態での凸曲部１２ｃと凹部１１ａとの摩擦抵抗を少なくし、位置ズレの修正を容易に行えるように構成してある。
【００１４】
〔第２の実施形態〕
図４に示すように、支持部１２ａの上下中心から機体前後方向に向けて固定部１２ｂを突出させて支持ブラケット１２を上下対称に形成し、支持スタンド１１の上端部に形成した凹部１１ａに係合可能な凸曲部１２ｃを、支持ブラケット１２の上下２個所に形成してもよい。
【００１５】
〔他の実施形態〕
支持ブラケット１２の凸曲部１２ｃは、固定部１２ｂの上下幅を適宜変更したり、突出する位置を上下に変更することによって、支持スタンド１１の凹部１１ａに対して係合の行い易い程度の突出状態に設定することが可能である。つまり、発明の実施の形態に記載のものを凸曲部１２ｃの上下幅を幅広に形成することにより、支持ブラケット１２を上下対称に形成したものでありながら凸曲部１２ｃを係合の行い易い程度の突出状態に設定してもよい。また、固定部１２ｂの上下幅が広い場合では、この固定部１２ｂを支持部１２ａの上部に位置させることによって凸曲部１２ｃを係合の行い易い程度の突出状態に設定してもよい。
【００１６】
支持スタンド１１に固定する状態の支持ブラケット１２において、固定部１２ｂを支持ブラケット１２の下部に位置させる等により重心を横軸芯Ｘより下方に位置させ、支持ブラケット１２が回転しても支持スタンド１１に固定する姿勢や、下面が後下方に向く姿勢で停止し易くなるよう構成してもよい。
【００１７】
上記した実施の形態では、支持ブラケット１２における筒状の支持部１２ａを支持スタンド１１の凹部１１ａに係合する凸曲部１２ｃとして利用したが、別途凸曲部を形成してもよく、例えば、複数の凸曲部が凹部に係合して位置決めするように構成してもよい。
【図面の簡単な説明】
【図１】コンバインを示す全体側面図
【図２】刈取部の支持構造を示す斜視図
【図３】刈取部の支持構造を示す縦断面図
【図４】第２の実施形態における刈取部の支持構造を示す縦断面図
【符号の説明】
２    刈取部
８    刈取フレーム
８ａ  横フレーム部
１１    支持スタンド
１１ａ  凹部
１２    支持ブラケット
１２ｃ  凸曲部
【図１】
0003639541.tif 000002
【図２】
0003639541.tif 000003
【図３】
0003639541.tif 000004
【図４】
0003639541.tif 000005